【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】 実行可能な旧プログラムと実行可能な新プログラムとの間のコンパクトな差分結果を発生させるための方法であり、各プログラムは該プログラム内の他のエントリーを参照するレフアレンスを有するレフアレンスエントリーを備えている場合の、該方法が、 
（ａ）該旧プログラムを走査しそして実質的に各レフアレンスエントリー用に
（ｉ）前記エントリーの該レフアレンスを区別ラベルマークにより置換し、それにより修正された旧プログラムが発生される過程を備える過程を実行する過程と、 
（ｂ）該新プログラムを走査しそして実質的に各レフアレンスエントリー用に
（ｉ）前記エントリーの該レフアレンスを区別ラベルマークにより置換し、それにより修正された新プログラムが発生される過程を備える過程を実行する過程と、 
（ｃ）少なくとも前記修正された旧プログラムと修正された新プログラムとを直接的又は間接的に使用して前記差分結果を発生させる過程とを具備することを特徴とする方法。
【請求項２】 請求項１の方法が更に、 （ｄ）通信ネットワーク上を前記コンパクトな差分結果を伝送することを具備することを特徴とする方法。
【請求項３】 請求項２の方法に於いて、前記ネットワークがインターネットを含むことを特徴とする方法。
【請求項４】 請求項１の方法が更に、
（ｄ）前記コンパクトな差分結果を記憶媒体上に記憶することを具備することを特徴とする方法。
【請求項５】 実行可能な新プログラムを発生させるために実行可能な旧プログラム内の更新を実行するための方法であり、各プログラムは該プログラム内の他のエントリーを参照するレフアレンスを有するレフアレンスエントリーを備えている場合の、該方法が、
（ａ）コンパクトな差分結果を有するデータを受信する過程を具備しており、前記コンパクトな差分結果は修正された旧プログラムと修正された新プログラムとを使用して発生されており、該方法は又
（ｂ）該旧プログラムを走査しそして実質的に各レフアレンスエントリー用に
（ｉ）前記エントリーの該レフアレンスを区別ラベルマークにより置換し、それにより該修正された旧プログラムが発生される過程を備える過程を実行する過程と、
（ｃ）少なくとも前記コンパクトな差分結果と前記修正された旧プログラムとを使用して該修正された新プログラムを再構成する過程とを具備しており、前記修正された新プログラムは少なくとも、前記新プログラムの実質的に各レフアレンスエントリーが前記修正された新プログラム内では区別ラベルマークにより置換されている点では前記新プログラムと異なり、該方法は更に、
（ｄ）少なくとも前記コンパクトな差分結果と前記修正された新プログラムを直接的又は間接的に使用して前記新プログラムを再構成する過程を具備することを特徴とする方法。
【請求項６】 請求項５の方法に於いて、前記データが（ａ）で遠隔サイトからネットワークを通して受信されることを特徴とする方法。
【請求項７】 請求項６の方法に於いて、前記ネットワークがインターネットを含むことを特徴とする方法。
【請求項８】 実行可能な旧プログラムと実行可能な新プログラムとの間のコンパクトな差分結果を発生させるための方法であるが、各プログラムが該プログラム内の他のエントリーを参照するレフアレンスを有するレフアレンスエントリーを備えている場合の、該方法が、
（ａ）少なくとも前記旧プログラムを使用して修正された旧プログラムを発生させる過程と、
（ｂ）少なくとも前記新プログラムを使用して修正された新プログラムを発生させる過程とを具備しており、前記修正された旧プログラムと修正された新プログラムとは少なくとも次の特性、すなわち 
（ｉ）前記旧プログラムと新プログラムとの間の遷移の部分を形成する削除／挿入の修正のために前記新プログラム内の対応するエントリーとは異なる前記旧プログラム内のエントリーの実質的に各々のレフアレンスが前記修正された旧及び修正された新プログラムの対応するエントリー内の不変レフアレンスとして反映される該特性を有しており、該方法は又、
（ｃ）少なくとも前記修正された新プログラムと修正された旧プログラムとを使用して前記コンパクトな差分結果を発生させる過程を具備することを特徴とする方法。
【請求項９】 請求項８の方法が更に、 
（ｄ）前記コンパクトな差分結果を通信ネットワーク上で伝送する過程を具備することを特徴とする方法。
【請求項１０】 請求項９の方法に於いて、前記ネットワークがインターネットを含むことを特徴とする方法。
【請求項１１】 請求項８の方法が更に、
（ｄ）前記コンパクトな差分結果を記憶媒体上に記憶することを具備することを特徴とする方法。
【請求項１２】 実行可能な新プログラムを発生させるために実行可能な旧プログラム内の更新を実行するための方法であり、各プログラムは該プログラム内の他のエントリーを参照するレフアレンスを有するレフアレンスエントリーを備えている場合の、該方法が、
（ａ）コンパクトな差分結果を有するデータを受信する過程を具備しており、前記コンパクトな差分結果は修正された旧プログラムと修正された新プログラムとを使用して発生されており、該方法は又 
（ｂ）少なくとも前記旧プログラムを使用して修正された旧プログラムを発生させる過程と、
（ｃ）少なくとも前記修正された旧プログラムと前記コンパクトな差分結果とを直接的又は間接的に使用して修正された新プログラムを再構成する過程とを具備しており、前記修正された旧プログラムと修正された新プログラムとは少なくとも次の特性、すなわち、
（ｉ）前記旧プログラムと新プログラムとの間の遷移の部分を形成する削除／挿入の修正のために前記新プログラム内の対応するエントリーとは異なる前記旧プログラム内のエントリーの実質的に各々のレフアレンスが前記修正された旧及び修正された新プログラムの対応するエントリー内の不変レフアレンスとして反映される該特性を有しており、該方法は更に、 
（ｄ）少なくとも前記コンパクトな差分結果と前記修正された新プログラムとを直接的又は間接的に使用して前記新プログラムを再構成する過程を具備することを特徴とする方法。
【請求項１３】 請求項５の方法に於いて、前記データが（ａ）で記憶媒体から受信されることを特徴とする方法。
【請求項１４】 実行可能な旧プログラムと実行可能な新プログラムとの間のコンパクトな差分結果を発生させるためのシステムであり、各プログラムは該プログラム内の他のエントリーを参照するレフアレンスを有するレフアレンスエントリーを備えている場合の、該システムが処理装置を具備しており、該処理装置が 
（ａ）該旧プログラムを走査出来てそして実質的に各レフアレンスエントリー用に
（ｉ）前記エントリーの該レフアレンスを区別ラベルマークにより置換し、それにより修正された旧プログラムが発生される過程を備える過程を実行出来て、 
（ｂ）該新プログラムを走査出来てそして実質的に各レフアレンスエントリー用に 
（ｉ）前記エントリーの該レフアレンスを区別ラベルマークにより置換し、それにより修正された新プログラムが発生される過程を備える過程を実行出来て、
（ｃ）少なくとも前記修正された旧プログラムと修正された新プログラムとを直接的又は間接的に使用して前記差分結果を発生出来ることを特徴とする旧プログラムと新プログラムとの間のコンパクトな差分結果を発生させるためのシステムであり、各プログラムは該プログラム内の他のエントリーを参照するレフアレンスを有するレフアレンスエントリーを備えている場合の、該システム。
【請求項１５】 請求項１４のシステムに於いて、前記処理装置が更に前記コンパクトな差分結果を通信ネットワーク上で伝送することが出来ることを特徴とするシステム。
【請求項１６】 請求項１５のシステムに於いて、前記ネットワークがインターネットを含むことを特徴とするシステム。
【請求項１７】 請求項１４のシステムに於いて、前記処理装置が更に前記コンパクトな差分結果を記憶媒体上に記憶出来ることを特徴とするシステム。
【請求項１８】 実行可能な新プログラムを発生させるために実行可能な旧プログラム内の更新を実行するためのシステムであり、各プログラムは該プログラム内の他のエントリーを参照するレフアレンスを有するレフアレンスエントリーを備えている場合の、該システムが処理装置を具備しており、該処理装置が、 
（ａ）コンパクトな差分結果を有するデータを受信出来て、前記コンパクトな差分結果は修正された旧プログラムと修正された新プログラムとを使用して発生されており、該処理装置は又、
（ｂ）該旧プログラムを走査出来てそして実質的に各レフアレンスエントリー用に
（ｉ）前記エントリーの該レフアレンスを区別ラベルマークにより置換し、それにより該修正された旧プログラムが発生される過程を備える過程を実行出来て、
（ｃ）少なくとも前記コンパクトな差分結果と前記修正された旧プログラムとを使用して該修正された新プログラムを再構成出来るが、前記修正された新プログラムは少なくとも、前記新プログラムの実質的に各レフアレンスエントリーが前記修正された新プログラム内では区別ラベルマークにより置換されている点では前記新プログラムと異なり、該処理装置は更に、
（ｄ）少なくとも前記コンパクトな差分結果と前記修正された新プログラムを直接的又は間接的に使用して前記新プログラムを再構成する出来ることを特徴とする新プログラムを発生させるために旧プログラム内の更新を実行するためのシステムであり、各プログラムは該プログラム内の他のエントリーを参照するレフアレンスを有するレフアレンスエントリーを備えている場合の、該システム。
【請求項１９】 請求項１８のシステムに於いて、前記データがネットワークを通して遠隔のサイトから受信されることを特徴とするシステム。
【請求項２０】 請求項１９のシステムに於いて、前記ネットワークがインターネットを含むことを特徴とするシステム。
【請求項２１】 実行可能な旧プログラムと実行可能な新プログラムとの間のコンパクトな差分結果を発生させるためのシステムであるが、各プログラムが該プログラム内の他のエントリーを参照するレフアレンスを有するレフアレンスエントリーを備えている場合の、該システムが処理装置を具備しており、該処理装置が、
（ａ）少なくとも前記旧プログラムを使用して修正された旧プログラムを発生させることが出来て、
（ｂ）少なくとも前記新プログラムを使用して修正された新プログラムを発生させることが出来るが、前記修正された旧プログラムと修正された新プログラムとは少なくとも次の特性、すなわち
（ｉ）前記旧プログラムと新プログラムとの間の遷移の部分を形成する削除／挿入の修正のために前記新プログラム内の対応するエントリーとは異なる前記旧プログラム内のエントリーの実質的に各々のレフアレンスが前記修正された旧及び修正された新プログラムの対応するエントリー内の不変レフアレンスとして反映される該特性を有しており、該処理装置は又、 
（ｃ）少なくとも前記修正された新プログラムと修正された旧プログラムとを使用して前記コンパクトな差分結果を発生させることが出来ることを特徴とする旧プログラムと新プログラムとの間のコンパクトな差分結果を発生させるためのシステムであるが、各プログラムが該プログラム内の他のエントリーを参照するレフアレンスを有するレフアレンスエントリーを備えている場合の、該システム。
【請求項２２】 請求項２１のシステムに於いて、前記処理装置が更に前記コンパクトな差分結果を通信ネットワーク上で伝送出来ることを特徴とするシステム。
【請求項２３】 請求項２２のシステムに於いて、前記ネットワークがインターネットを含むことを特徴とするシステム。
【請求項２４】 請求項２１のシステムに於いて、前記処理装置が更に、前記コンパクトな差分結果を記憶媒体上に記憶することが出来ることを特徴とするシステム。
【請求項２５】 実行可能な新プログラムを発生させるために実行可能な旧プログラム内の更新を実行するためのシステムであり、各プログラムは該プログラム内の他のエントリーを参照するレフアレンスを有するレフアレンスエントリーを備えている場合の、該システムが処理装置を具備しており、該処理装置が、
（ａ）コンパクトな差分結果を有するデータを受信出来るが、前記コンパクトな差分結果は修正された旧プログラムと修正された新プログラムとを使用して発生されており、該処理装置は又 
（ｂ）少なくとも前記旧プログラムを使用して修正された旧プログラムを発生させることが出来て、 
（ｃ）少なくとも前記修正された旧プログラムと前記コンパクトな差分結果とを直接的又は間接的に使用して修正された新プログラムを再構成出来るが、前記修正された旧プログラムと修正された新プログラムとは少なくとも次の特性、すなわち、
（ｉ）前記旧プログラムと新プログラムとの間の遷移の部分を形成する削除／挿入の修正のために前記新プログラム内の対応するエントリーとは異なる前記旧プログラム内のエントリーの実質的に各々のレフアレンスが前記修正された旧及び修正された新プログラムの対応するエントリー内の不変レフアレンスとして反映される該特性を有しており、該処理装置は更に、 
（ｄ）少なくとも前記コンパクトな差分結果と前記修正された新プログラムとを直接的又は間接的に使用して前記新プログラムを再構成出来ることを特徴とする新プログラムを発生させるために旧プログラム内の更新を実行するためのシステムであり、各プログラムは該プログラム内の他のエントリーを参照するレフアレンスを有するレフアレンスエントリーを備えている場合の、該システム。
【請求項２６】 請求項１８のシステムに於いて、前記データが（ａ）で記憶媒体から受信されることを特徴とするシステム。
【請求項２７】 処理装置に於いてそれに付随した、請求項１から４の何れか１つの方法により発生されたコンパクトな差分結果データを保持する記憶媒体を有することを特徴とする処理装置。
【請求項２８】 処理装置に於いてそれに付随した、請求項８から１１の何れか１つの方法により発生されたコンパクトな差分結果データを保持する記憶媒体を有することを特徴とする処理装置。
【請求項２９】 請求項１２の方法に於いて、前記データが（ａ）でネットワークを通して遠隔のサイトから受信されることを特徴とする方法。
【請求項３０】 請求項２９の方法に於いて、前記ネットワークがインターネットを含むことを特徴とする方法。
【請求項３１】 請求項１２の方法に於いて、前記データが（ａ）で記憶媒体から受信されることを特徴とする方法。
【請求項３２】 請求項２５のシステムに於いて、前記データが（ａ）でネットワークを通して遠隔のサイトから受信されることを特徴とするシステム。
【請求項３３】 請求項３２のシステムに於いて、前記ネットワークがインターネットを含むことを特徴とするシステム。
【請求項３４】 請求項２５のシステムに於いて、前記データが（ａ）で記憶媒体から受信されることを特徴とするシステム。
【請求項３５】 旧データ表と新データ表との間のコンパクトな差分結果を発生させるための方法であり、各データ表は該データ表内の他のエントリーを参照するレフアレンスを有するレフアレンスエントリーを備えている場合の、該方法が、 
（ａ）該旧データ表を走査しそして実質的に各レフアレンスエントリー用に
（ｉ）前記エントリーの該レフアレンスを区別ラベルマークにより置換し、それにより修正された旧データ表が発生される過程を備える過程を実行する過程と、 
（ｂ）該新データ表を走査しそして実質的に各レフアレンスエントリー用に
（ｉ）前記エントリーの該レフアレンスを区別ラベルマークにより置換し、それにより修正された新データ表が発生される過程を備える過程を実行する過程と、 
（ｃ）少なくとも前記修正された旧データ表と修正された新データ表とを直接的又は間接的に使用して前記差分結果を発生させる過程とを具備することを特徴とする方法。
【請求項３６】 請求項３５の方法が更に、 
（ｄ）前記コンパクトな差分結果を通信ネットワーク上で伝送する過程を具備することを特徴とする方法。
【請求項３７】 請求項３６の方法に於いて、前記ネットワークがインターネットを含むことを特徴とする方法。
【請求項３８】 請求項３５の方法が更に、 
（ｄ）前記コンパクトな差分結果を記憶媒体上に記憶することを具備することを特徴とする方法。
【請求項３９】 新データ表を発生させるために旧データ表内の更新を実行するための方法であり、各データ表は該データ表内の他のエントリーを参照するレフアレンスを有するレフアレンスエントリーを備えている場合の、該方法が、 
（ａ）コンパクトな差分結果を有するデータを受信する過程を具備しており、前記コンパクトな差分結果は修正された旧データ表と修正された新データ表とを使用して発生されており、該方法は又 
（ｂ）該旧データ表を走査しそして実質的に各レフアレンスエントリー用に
（ｉ）前記エントリーの該レフアレンスを区別ラベルマークにより置換し、それにより該修正された旧データ表が発生される過程を備える過程を実行する過程と、 
（ｃ）少なくとも前記コンパクトな差分結果と前記修正された旧データ表とを使用して該修正された新データ表を再構成する過程とを具備しており、前記修正された新データ表は少なくとも、前記新データ表の実質的に各レフアレンスエントリーが前記修正された新データ表内では区別ラベルマークにより置換されている点では前記新データ表と異なり、該方法は更に、 
（ｄ）少なくとも前記コンパクトな差分結果と前記修正された新データ表を直接的又は間接的に使用して前記新データ表を再構成する過程を具備することを特徴とする方法。
【請求項４０】 請求項３９の方法に於いて、前記データは（ａ）でネットワークを通して遠隔のサイトから受信されることを特徴とする方法。
【請求項４１】 請求項４０の方法に於いて、前記ネットワークはインターネットを含むことを特徴とする方法。
【請求項４２】 旧データ表と新データ表との間のコンパクトな差分結果を発生させるための方法であるが、各データ表が該データ表内の他のエントリーを参照するレフアレンスを有するレフアレンスエントリーを備えている場合の、該方法が、 
（ａ）少なくとも前記旧データ表を使用して修正された旧データ表を発生させる過程と、 
（ｂ）少なくとも前記新データ表を使用して修正された新データ表を発生させる過程とを具備しており、前記修正された旧データ表と修正された新データ表とは少なくとも次の特性、すなわち 
（ｉ）前記旧データ表と新データ表との間の遷移の部分を形成する削除／挿入の修正のために前記新データ表内の対応するエントリーとは異なる前記旧データ表内のエントリーの実質的に各々のレフアレンスが前記修正された旧及び修正された新データ表の対応するエントリー内の不変レフアレンスとして反映される該特性を有しており、該方法は又、 
（ｃ）少なくとも前記修正された新データ表と修正された旧データ表とを使用して前記コンパクトな差分結果を発生させる過程を具備することを特徴とする方法。
【請求項４３】 請求項４２の方法が更に、 
（ｄ）前記コンパクトな差分結果を通信ネットワーク上で伝送する過程を具備することを特徴とする方法。
【請求項４４】 請求項４３の方法に於いて、前記ネットワークがインターネットを含むことを特徴とする方法。
【請求項４５】 請求項４２の方法が更に、 
（ｄ）前記コンパクトな差分結果を記憶媒体上に記憶することを具備することを特徴とする方法。
【請求項４６】 新データ表を発生させるために旧データ表内の更新を実行するための方法であり、各データ表は該データ表内の他のエントリーを参照するレフアレンスを有するレフアレンスエントリーを備えている場合の、該方法が、 
（ａ）コンパクトな差分結果を有するデータを受信する過程を具備しており、前記コンパクトな差分結果は修正された旧データ表と修正された新データ表とを使用して発生されており、該方法は又 
（ｂ）少なくとも前記旧データ表を使用して修正された旧データ表を発生させる過程と、
（ｃ）少なくとも前記修正された旧データ表と前記コンパクトな差分結果とを直接的又は間接的に使用して修正された新データ表を再構成する過程とを具備しており、前記修正された旧データ表と修正された新データ表とは少なくとも次の特性、すなわち、
（ｉ）前記旧データ表と新データ表との間の遷移の部分を形成する削除／挿入の修正のために前記新データ表内の対応するエントリーとは異なる前記旧データ表内のエントリーの実質的に各々のレフアレンスが前記修正された旧及び修正された新データ表の対応するエントリー内の不変レフアレンスとして反映される該特性を有しており、該方法は更に、 
（ｄ）少なくとも前記コンパクトな差分結果と前記修正された新データ表とを直接的又は間接的に使用して前記新データ表を再構成する過程を具備することを特徴とする新データ表を発生させるために旧データ表内の更新を実行するための方法であり、各データ表は該データ表内の他のエントリーを参照するレフアレンスを有するレフアレンスエントリーを備えている場合の、該方法。
【請求項４７】 請求項３９の方法に於いて、前記データは（ａ）で記憶媒体から受信されることを特徴とする方法。
【請求項４８】 旧データ表と新データ表との間のコンパクトな差分結果を発生させるためのシステムであり、各データ表は該データ表内の他のエントリーを参照するレフアレンスを有するレフアレンスエントリーを備えている場合の、該システムが処理装置を具備しており、該処理装置が 
（ａ）該旧データ表を走査出来てそして実質的に各レフアレンスエントリー用に
（ｉ）前記エントリーの該レフアレンスを区別ラベルマークにより置換し、それにより修正された旧データ表が発生される過程を備える過程を実行出来て、 
（ｂ）該新データ表を走査出来てそして実質的に各レフアレンスエントリー用に
（ｉ）前記エントリーの該レフアレンスを区別ラベルマークにより置換し、それにより修正された新データ表が発生される過程を備える過程を実行出来て、 
（ｃ）少なくとも前記修正された旧データ表と修正された新データ表とを直接的又は間接的に使用して前記差分結果を発生させることが出来ることを特徴とする旧データ表と新データ表との間のコンパクトな差分結果を発生させるためのシステムであり、各データ表は該データ表内の他のエントリーを参照するレフアレンスを有するレフアレンスエントリーを備えている場合の、該システム。
【請求項４９】 請求項４８のシステムに於いて、前記処理装置が更に前記コンパクトな差分結果を通信ネットワーク上で伝送出来ることを特徴とするシステム。
【請求項５０】 請求項４９のシステムに於いて、前記ネットワークがインタネットを含むことを特徴とするシステム。
【請求項５１】 請求項４８のシステムに於いて、前記処理装置が更に、前記コンパクトな差分結果を記憶媒体上に記憶出来ることを特徴とするシステム。
【請求項５２】 新データ表を発生させるために旧データ表内の更新を実行するためのシステムであり、各データ表は該データ表内の他のエントリーを参照するレフアレンスを有するレフアレンスエントリーを備えている場合の、該システムが処理装置を具備しており、該処理装置が、
（ａ）コンパクトな差分結果を有するデータを受信出来て、前記コンパクトな差分結果は修正された旧データ表と修正された新データ表とを使用して発生されており、該処理装置は又、
（ｂ）該旧データ表を走査出来てそして実質的に各レフアレンスエントリー用に
（ｉ）前記エントリーの該レフアレンスを区別ラベルマークにより置換し、それにより該修正された旧データ表が発生される過程を備える過程を実行出来て、 
（ｃ）少なくとも前記コンパクトな差分結果と前記修正された旧データ表とを使用して該修正された新データ表を再構成出来るが、前記修正された新データ表は少なくとも、前記新データ表の実質的に各レフアレンスエントリーが前記修正された新データ表内では区別ラベルマークにより置換されている点では前記新データ表と異なり、該処理装置は更に、 
（ｄ）少なくとも前記コンパクトな差分結果と前記修正された新データ表を直接的又は間接的に使用して前記新データ表を再構成する出来ることを特徴とする新データ表を発生させるために旧データ表内の更新を実行するためのシステムであり、各データ表は該データ表内の他のエントリーを参照するレフアレンスを有するレフアレンスエントリーを備えている場合の、該システム。
【請求項５３】 請求項５２のシステムに於いて、前記データはネットワークを通して遠隔のサイトから受信されることを特徴とするシステム。
【請求項５４】 請求項５３のシステムに於いて、前記ネットワークはインターネットを含むことを特徴とするシステム。
【請求項５５】 旧データ表と新データ表との間のコンパクトな差分結果を発生させるためのシステムであるが、各データ表が該データ表内の他のエントリーを参照するレフアレンスを有するレフアレンスエントリーを備えている場合の、該システムが処理装置を具備しており、該処理装置が、 
（ａ）少なくとも前記旧データ表を使用して修正された旧データ表を発生させることが出来て、 
（ｂ）少なくとも前記新データ表を使用して修正された新データ表を発生させることが出来るが、前記修正された旧データ表と修正された新データ表とは少なくとも次の特性、すなわち 
（ｉ）前記旧データ表と新データ表との間の遷移の部分を形成する削除／挿入の修正のために前記新データ表内の対応するエントリーとは異なる前記旧データ表内のエントリーの実質的に各々のレフアレンスが前記修正された旧及び修正された新データ表の対応するエントリー内の不変レフアレンスとして反映される該特性を有しており、該処理装置は又、 
（ｃ）少なくとも前記修正された新データ表と修正された旧データ表とを使用して前記コンパクトな差分結果を発生させることが出来ることを特徴とする旧データ表と新データ表との間のコンパクトな差分結果を発生させるためのシステムであるが、各データ表が該データ表内の他のエントリーを参照するレフアレンスを有するレフアレンスエントリーを備えている場合の、該システム。
【請求項５６】 請求項５５のシステムに於いて、前記処理装置が更に前記コンパクトな差分結果を通信ネットワーク上で伝送出来ることを特徴とするシステム。
【請求項５７】 請求項５６のシステムに於いて、前記ネットワークがインターネットを含むことを特徴とするシステム。
【請求項５８】 請求項５５のシステムに於いて、前記処理装置が更に記憶媒体上に前記コンパクトな差分結果を記憶出来ることを特徴とするシステム。
【請求項５９】 新データ表を発生させるために旧データ表内の更新を実行するためのシステムであり、各データ表は該データ表内の他のエントリーを参照するレフアレンスを有するレフアレンスエントリーを備えている場合の、該システムが処理装置を具備しており、該処理装置が、 
（ａ）コンパクトな差分結果を有するデータを受信出来るが、前記コンパクトな差分結果は修正された旧データ表と修正された新データ表とを使用して発生されており、該処理装置は又 
（ｂ）少なくとも前記旧データ表を使用して修正された旧データ表を発生させることが出来て、 
（ｃ）少なくとも前記修正された旧データ表と前記コンパクトな差分結果とを直接的又は間接的に使用して修正された新データ表を再構成出来るが、前記修正された旧データ表と修正された新データ表とは少なくとも次の特性、すなわち、
（ｉ）前記旧データ表と新データ表との間の遷移の部分を形成する削除／挿入の修正のために前記新データ表内の対応するエントリーとは異なる前記旧データ表内のエントリーの実質的に各々のレフアレンスが前記修正された旧及び修正された新データ表の対応するエントリー内の不変レフアレンスとして反映される該特性を有しており、該処理装置は更に、 
（ｄ）少なくとも前記コンパクトな差分結果と前記修正された新データ表とを直接的又は間接的に使用して前記新データ表を再構成出来ることを特徴とする新データ表を発生させるために旧データ表内の更新を実行するためのシステムであり、各データ表は該データ表内の他のエントリーを参照するレフアレンスを有するレフアレンスエントリーを備えている場合の、該システム。
【請求項６０】 請求項５９のシステムに於いて、前記データが過程（ａ）で記憶媒体から受信されることを特徴とするシステム。
【請求項６１】 処理装置に於いてそれに付随した、請求項３５から３８の何れか１つの方法により発生されたコンパクトな差分結果データを保持する記憶媒体を有することを特徴とする処理装置。
【請求項６２】 処理装置に於いてそれに付随した、請求項４２から４５の何れか１つの方法により発生されたコンパクトな差分結果データを保持する記憶媒体を有することを特徴とする処理装置。
【請求項６３】 請求項４６の方法に於いて、前記データが過程（ａ）でネットワークを通して遠隔のサイトから受信されることを特徴とする方法。
【請求項６４】 請求項６３の方法に於いて、前記ネットワークがインターネットを含むことを特徴とする方法。
【請求項６５】 請求項４６の方法に於いて、前記データが過程（ａ）で記憶媒体から受信されることを特徴とする方法。
【請求項６６】 請求項５９のシステムに於いて、前記データが過程（ａ）でネットワークを通して遠隔のサイトから受信されることを特徴とするシステム。
【請求項６７】 請求項６６のシステムに於いて、前記ネットワークがインターネットを含むことを特徴とするシステム。
【請求項６８】 請求項５９のシステムに於いて、前記データが過程（ａ）で記憶媒体から受信されることを特徴とするシステム。